(57)【要約】【課題】安全解析に必要な諸元データを、簡易かつ短時間で収集・整理する。【解決手段】安全解析部門のコンピュータＰＣωから、「諸元データ項目名」，「設計部門名とそのメールアドレス」，「安全解析部門とそのメールアドレス」の各フィールドには、必要なデータを入力しているが、「諸元データ値」，「ドキュメント名」，「リンク情報」の各フィールドにはデータが入力されておらず空欄となっている複数のレコードからなるテーブルを、安全解析データ管理装置１０を介して、設計部門のコンピュータＰＣα，ＰＣβ，ＰＣγに送る。コンピュータＰＣα，ＰＣβ，ＰＣγで空欄のテーブルにデータを入力し、それを安全快適データ管理装置１０に送ると、諸元データデータベース１３には、全ての蘭に必要なデータが入力された、安全解析をするために必要な諸元データが、データベース化して記憶・蓄積される。【選択図】図１
2011257905.tif 000002
【特許請求の範囲】
【請求項１】
データ編集インタフェースと、メール送信部と、諸元データデータベースと、操作ログデータベースと、各設計ドキュメントが記憶・蓄積されているファイルサーバとを有する安全解析データ管理装置と、
前記安全解析データ管理装置に接続可能な、安全解析部門のコンピュータと、
前記安全解析データ管理装置に接続可能な、設計部門のコンピュータと、
で構成された安全解析データ管理システムにおいて、
前記安全解析データ管理装置と安全解析部門のコンピュータとの間で情報を送受する送信手段と、
前記安全解析データ管理装置と設計部門のコンピュータ送信手段との間で情報を送受する送信手段とを備え、
前記操作ログデータベースが、前記安全解析データ管理装置と前記安全解析部門のコンピュータとの間で送受した情報の送受履歴と、前記安全解析データ管理装置と前記設計部門のコンピュータとの間で送受した情報の送受履歴を記憶する、
ことを特徴とする安全解析データ管理システム。
【請求項２】
データ編集インタフェースと、メール送信部と、諸元データデータベースと、操作ログデータベースと、各設計ドキュメントが記憶・蓄積されているファイルサーバとを有する安全解析データ管理装置と、
前記安全解析データ管理装置に接続可能な、安全解析部門のコンピュータと、
前記安全解析データ管理装置に接続可能な、設計部門のコンピュータとで構成され、
前記安全解析部門のコンピュータでは、
安全解析をするために必要な特定の諸元データを示す「諸元データ項目名」、諸元データの値を示す「諸元データ値」、諸元データの値が記載されているドキュメントを示す「ドキュメント名」、諸元データの値が記載されているドキュメントの紐付け情報を示す「リンク情報」、設計をする設計部門とそのメールのアドレスを示す「設計部門名とそのメールアドレス」、安全解析をする安全解析部門とそのメールのアドレスを示す「安全解析部門名とそのメールアドレス」を個別に格納するフィールドから構成されているレコードが複数集まって形成されたテーブルのうち、「諸元データ項目名」，「設計部門名とそのメールアドレス」，「安全解析部門とそのメールアドレス」の各フィールドには、必要なデータを入力しているが、「諸元データ値」，「ドキュメント名」，「リンク情報」の各フィールドには、データが入力されておらず空欄となっているテーブルを、前記安全解析データ管理装置のデータ編集インタフェースに接続してデータ送信し、
前記設計部門のコンピュータでは、
前記安全解析データ管理装置を介して、前記テーブルのレコードのうち、当該設計部門を示す「設計部門名」と安全解析部門が必要とする「諸元データ項目名」のレコードが送信されてくると、設計部門で有している設計ドキュメントを基に、「諸元データ値」，「ドキュメント名」，「リンク情報」の各フィールドにデータが入力されて、全てのフィールドにデータが入力されているレコードを前記安全解析データ管理装置のデータ編集インタフェースに接続してデータ送信し、
前記安全解析データ管理装置では、
前記安全解析部門のコンピュータから前記テーブルがデータ送信されてくると、前記データ編集インタフェースが、前記テーブルを前記諸元データデータベースに記憶すると共に、前記メール送信部が、前記テーブルのうち「設計部門名とメールアドレス」が特定の設計部門とそのメールアドレスに一致しているレコードを、一致している特定の設計部門のコンピュータにメール送信し、
前記設計部門のコンピュータから全てのフィールドにデータが入力されているレコードがデータ送信されてくると、前記データ編集インタフェースが、送信されてきたレコードを前記諸元データデータベースの上に上書きして記憶すると共に、前記メール送信部が、前記設計部門から送信されてきたレコードを前記安全解析部門のコンピュータにメール送信し、
前記操作ログデータベースが、前記安全解析データ管理装置が前記安全解析部門のコンピュータ及び前記設計部門のコンピュータとの間で送受した情報の送受履歴を記憶する
ことを特徴とする安全解析データ管理システム。
【請求項３】
請求項２において、
前記設計部門のコンピュータでは、前記安全解析データ管理装置を介して、前記テーブルのレコードのうち、当該設計部門を示す「設計部門名」と安全解析部門が必要とする「諸元データ項目名」のレコードが送信されてくると、設計部門で有している設計ドキュメントを基に、「諸元データ値」，「ドキュメント名」，「リンク情報」のデータを、前記諸元データデータベースに記憶されているデータベースに直接入力することができることを特徴とする安全解析データ管理システム。
【請求項４】
請求項１または請求項２において、
前記安全解析データ管理装置は、前記安全解析部門のコンピュータから閲覧指令が入力されると、
前記データ編集インタフェースが、前記閲覧指令により特定された条件に応じたレコードを、前記諸元データデータベースの中から取り出し、前記メール送信部が、取り出されたレコードを前記安全解析部門のコンピュータにメール送信もしくはデータ転送し、
前記安全解析部門のコンピュータは、メール送信もしくはデータ転送されてきたレコードを表示する
ことを特徴とする安全解析データ管理システム。
【請求項５】
請求項１または請求項２において、
前記安全解析データ管理装置は、前記安全解析部門のコンピュータに表示されたレコードの特定のリンク情報が選択されると、
前記データ編集インタフェースが、前記ファイルサーバに記憶されている設計ドキュメントの中から選択された前記リンク情報に紐付けされた設計ドキュメントを選択し、前記メール送信部が、選択された設計ドキュメントを前記安全管理部門のコンピュータにメール送信し、
前記安全解析部門のコンピュータは、メール送信されてきた設計ドキュメントを表示する
ことを特徴とする安全解析データ管理システム。
【発明の詳細な説明】
【技術分野】
【０００１】
本発明は安全解析データ管理システムに関し、各設計部門が有している設計ドキュメントの中から、安全解析に必要な諸元データを、簡易かつ短時間で収集・整理することができ、しかもトレーサビリティを確保することができるように工夫したものである。
【背景技術】
【０００２】
発電プラントのような大型プラントを新規に設計した時や改造した時には、新規に設計したプラントや改造したプラントが安全に動作（運転）するかどうかを検証するために、安全解析を行う。
安全解析をするためには、対象プラントの動作を模擬する安全解析用数値モデルを構築し、この安全解析用数値モデルを用いた模擬を行い、安全に動作するかどうかを解析している。
【０００３】
安全解析用数値モデルを構築するためには、安全解析をするために必要な諸元データが必要である。
諸元データとは、例えば、対象プラントの各部分のサイズや流路の圧力，温度、質量流量等の静的なデータや、特定のバルブを開閉したときに他の部分における挙動がどのように変化するか等を示す動的なデータをいう。
【０００４】
安全解析部門では、上述した安全解析用数値モデルを構築するために、必要な諸元データを設計部門から入手しなければならない。
しかし、特に大型のプラントの場合には、設計部門が複数に分かれている場合が多く、安全解析部門は、各設計部門から、必要な諸元データをそれぞれ個別に入手しなければならず、データ入手のために多くの手間と時間を要していた。
【０００５】
また、安全解析部門は、構築した安全解析用数値モデルを使用して安全解析をし、安全解析結果をプラントの顧客（プラントを発注した者）に提示する。
プラントの顧客の中には安全解析に対して高い品質管理を要求することがあり、解析の準備段階である諸元データを入手する時点からトレーサビリティ（データの入手や処理等の履歴情報を追跡できること）を確保しておく必要がある場合もある。
つまり、解析の準備をどのようにして行ったか、諸元データをどのようにして収集したか、諸元データを適正な設計部門から取得したか、取得した諸元データのデータ内容（数値等）が保証されたものであるか、どのようにして安全解析用数値モデルを構築したか、安全解析用数値モデルが正しく動作するか等の品質管理が要求されることがある。
【０００６】
更に、安全解析に際しては、解析結果の見当を付けたり、解析結果の妥当性を評価する目的で、安全解析をする対象プラントの諸元データを他のプラントの諸元データと比較したり、対象プラントの安全解析結果と同一プラントの過去の安全解析結果とを比較したりすることが必要になる。
【０００７】
しかし、設計部門と安全解析部門とでは、データの範囲や扱い方が異なる。
例えば、プラントＰ１が機器Ａと機器Ｂと機器Ｃで構成されている場合、機器Ａは設計部門αにより設計され、機器Ｂは設計部門βにより設計され、機器Ｃは設計部門γにより設計されている場合、各設計部門α，β，γは、当該設計部門で設計するのに必要なドキュメントとして、図面や検討資料などの設計ドキュメントを有している。
つまり、設計部門αでは、機器Ａを設計・製造するための設計ドキュメントａ１，ａ２，ａ３・・・を有し、設計部門βでは、機器Ｂを設計・製造するための設計ドキュメントｂ１，ｂ２，ｂ３・・・を有し、設計部門γでは、機器Ｃを設計・製造するための設計ドキュメントｃ１，ｃ２，ｃ３・・・を有している。
ところが、安全解析部門ωで必要とする安全解析をするために必要な各諸元データは、例えば複数の設計ドキュメントａ１，ａ２，ａ３・・・、ｂ１，ｂ２，ｂ３・・・、ｃ１，ｃ２，ｃ３・・・の中に分散して組み込まれている。
【０００８】
そのため、安全解析部門ωでは、例えば図４に示すように、各設計部門α，β，γから、設計ドキュメントａ１，ａ２，ａ３・・・、ｂ１，ｂ２，ｂ３・・・、ｃ１，ｃ２，ｃ３・・・を送ってもらい、各設計ドキュメント（図面や検討資料）を読み解き、各設計ドキュメントの中から安全解析をするために必要な諸元データを、各諸元データ毎に抽出して整理するという作業をしなければならなかった。このような、設計ドキュメントの読み解きやデータの抽出・整理をするのには、長時間を要していた。
【０００９】
また、諸元データを蓄積したデータベースを用意したシステムはあるが、諸元データと各種の設計ドキュメントとの紐付けができていない。
【先行技術文献】
【特許文献】
【００１０】
【特許文献１】特開２００７−２７２３８０号公報
【特許文献２】特開２００８−３３９０３号公報
【発明の概要】
【発明が解決しようとする課題】
【００１１】
上述したように従来では、安全解析をするために必要な諸元データを入手するのに多くの手間と労力・時間を要していた。
また、トレーサビリティは、必ずしも高いものではなかった。
更に、安全解析のために収集して整理した諸元データと、この諸元データが記載されていた元の設計ドキュメントとが紐付けされておらず、安全解析のために収集して整理した諸元データから、この諸元データが記載されていた元の設計ドキュメントを確認するのが困難であった。
【００１２】
本発明は、上記従来技術に鑑み、各設計部門が有している設計ドキュメントの中から、安全解析に必要な諸元データを、簡易かつ短時間で収集・整理することができ、しかもトレーサビリティを確保することができ、更に収集・整理した諸元データから元の設計ドキュメントを確認することができる安全解析データ管理システムを提供することを目的とする。
【課題を解決するための手段】
【００１３】
上記課題を解決する本発明の構成は、
データ編集インタフェースと、メール送信部と、諸元データデータベースと、操作ログデータベースと、各設計ドキュメントが記憶・蓄積されているファイルサーバとを有する安全解析データ管理装置と、
前記安全解析データ管理装置に接続可能な、安全解析部門のコンピュータと、
前記安全解析データ管理装置に接続可能な、設計部門のコンピュータと、
で構成された安全解析データ管理システムにおいて、
前記安全解析データ管理装置と安全解析部門のコンピュータとの間で情報を送受する送信手段と、
前記安全解析データ管理装置と設計部門のコンピュータ送信手段との間で情報を送受する送信手段とを備え、
前記操作ログデータベースが、前記安全解析データ管理装置と前記安全解析部門のコンピュータとの間で送受した情報の送受履歴と、前記安全解析データ管理装置と前記設計部門のコンピュータとの間で送受した情報の送受履歴を記憶することを特徴とする。
【００１４】
また本発明の構成は、
データ編集インタフェースと、メール送信部と、諸元データデータベースと、操作ログデータベースと、各設計ドキュメントが記憶・蓄積されているファイルサーバとを有する安全解析データ管理装置と、
前記安全解析データ管理装置に接続可能な、安全解析部門のコンピュータと、
前記安全解析データ管理装置に接続可能な、設計部門のコンピュータとで構成され、
前記安全解析部門のコンピュータでは、
安全解析をするために必要な特定の諸元データを示す「諸元データ項目名」、諸元データの値を示す「諸元データ値」、諸元データの値が記載されているドキュメントを示す「ドキュメント名」、諸元データの値が記載されているドキュメントの紐付け情報を示す「リンク情報」、設計をする設計部門とそのメールのアドレスを示す「設計部門名とそのメールアドレス」、安全解析をする安全解析部門とそのメールのアドレスを示す「安全解析部門名とそのメールアドレス」を個別に格納するフィールドから構成されているレコードが複数集まって形成されたテーブルのうち、「諸元データ項目名」，「設計部門名とそのメールアドレス」，「安全解析部門とそのメールアドレス」の各フィールドには、必要なデータを入力しているが、「諸元データ値」，「ドキュメント名」，「リンク情報」の各フィールドには、データが入力されておらず空欄となっているテーブルを、前記安全解析データ管理装置のデータ編集インタフェースに接続してデータ送信し、
前記設計部門のコンピュータでは、
前記安全解析データ管理装置を介して、前記テーブルのレコードのうち、当該設計部門を示す「設計部門名」と安全解析部門が必要とする「諸元データ項目名」のレコードが送信されてくると、設計部門で有している設計ドキュメントを基に、「諸元データ値」，「ドキュメント名」，「リンク情報」の各フィールドにデータが入力されて、全てのフィールドにデータが入力されているレコードを前記安全解析データ管理装置のデータ編集インタフェースに接続してデータ送信し、
前記安全解析データ管理装置では、
前記安全解析部門のコンピュータから前記テーブルがデータ送信されてくると、前記データ編集インタフェースが、前記テーブルを前記諸元データデータベースに記憶すると共に、前記メール送信部が、前記テーブルのうち「設計部門名とメールアドレス」が特定の設計部門とそのメールアドレスに一致しているレコードを、一致している特定の設計部門のコンピュータにメール送信し、
前記設計部門のコンピュータから全てのフィールドにデータが入力されているレコードがデータ送信されてくると、前記データ編集インタフェースが、送信されてきたレコードを前記諸元データデータベースの上に上書きして記憶すると共に、前記メール送信部が、前記設計部門から送信されてきたレコードを前記安全解析部門のコンピュータにメール送信し、
前記操作ログデータベースが、前記安全解析データ管理装置が前記安全解析部門のコンピュータ及び前記設計部門のコンピュータとの間で送受した情報の送受履歴を記憶することを特徴とする。
【００１５】
また本発明の構成は、
前記設計部門のコンピュータでは、前記安全解析データ管理装置を介して、前記テーブルのレコードのうち、当該設計部門を示す「設計部門名」と安全解析部門が必要とする「諸元データ項目名」のレコードが送信されてくると、設計部門で有している設計ドキュメントを基に、「諸元データ値」，「ドキュメント名」，「リンク情報」のデータを、前記諸元データデータベースに記憶されているデータベースに直接入力することができることを特徴とする。
【００１６】
また本発明の構成は、
前記安全解析データ管理装置は、前記安全解析部門のコンピュータから閲覧指令が入力されると、
前記データ編集インタフェースが、前記閲覧指令により特定された条件に応じたレコードを、前記諸元データデータベースの中から取り出し、前記メール送信部が、取り出されたレコードを前記安全解析部門のコンピュータにメール送信もしくはデータ転送し、
前記安全解析部門のコンピュータは、メール送信もしくはデータ転送されてきたレコードを表示することを特徴とする。
【００１７】
また本発明の構成は、
前記安全解析データ管理装置は、前記安全解析部門のコンピュータに表示されたレコードの特定のリンク情報が選択されると、
前記データ編集インタフェースが、前記ファイルサーバに記憶されている設計ドキュメントの中から選択された前記リンク情報に紐付けされた設計ドキュメントを選択し、前記メール送信部が、選択された設計ドキュメントを前記安全管理部門のコンピュータにメール送信し、
前記安全解析部門のコンピュータは、メール送信されてきた設計ドキュメントを表示することを特徴とする。
【発明の効果】
【００１８】
本発明によれば、安全解析データ管理装置を介して、安全管理部門のコンピュータと設計部門のコンピュータとの間で必要な情報の送受をしていくことにより、安全解析をするために必要な諸元データを、安全解析データ管理装置の中にデータベース化して記憶・蓄積することができる。
このため、各設計部門が有している設計ドキュメントの中から、安全解析に必要な諸元データを、簡易かつ短時間で収集・整理することができ、しかもトレーサビリティを確保することができ、更に収集・整理した諸元データから元の設計ドキュメントを確認することができる。
【図面の簡単な説明】
【００１９】
【図１】本発明の実施例に係る安全解析データ管理システムを示す構成図。
【図２】安全解析をするために必要な諸元データのテーブルを示すデータ図。
【図３】安全解析をするために必要な諸元データのテーブルを示すデータ図。
【図４】従来手法を示す説明図。
【発明を実施するための形態】
【００２０】
以下、本発明の実施の形態について、実施例に基づき詳細に説明する。
【実施例１】
【００２１】
＜システム構成＞
図１は、本発明の実施例１に係る安全解析データ管理システムを示す。
この安全解析データ管理システムは、安全解析データ管理装置１０と、安全解析データ管理装置１０に接続可能な安全解析部門ωに設置されたコンピュータＰＣωと、各設計部門α，β，γに設置されており安全解析データ管理装置１０に接続可能なコンピュータＰＣα，ＰＣβ，ＰＣγと、コンピュータＰＣωと安全解析データ管理装置１０とを接続する回線Ｃｉ１と、各コンピュータＰＣα，ＰＣβ，ＰＣγと安全解析データ管理装置１０とを接続する回線Ｃｉ２とで構成されている。
【００２２】
安全解析データ管理装置１０は、ソフトウエアとハードウエア資源とが協働した具体的手段により、安全解析データ管理をするという使用目的に応じた情報の演算または加工（詳細は後述する）を実現するものであり、データ編集インタフェース１１と、メール送信部１２と、諸元データデータベース１３と、操作ログデータベース１４と、ファイルサーバ１５を有している。
【００２３】
この安全解析データ管理システムでは、詳細動作は後述するが、安全解析データ管理装置１０を介して、安全管理部門ωのコンピュータＰＣωと設計部門α，β，γのコンピュータＰＣα，ＰＣβ，ＰＣγとの間で必要な情報の送受をしていくことにより、安全解析をするために必要な諸元データを、安全解析データ管理装置１０の中にデータベース化して記憶・蓄積する。
【００２４】
＜データの記憶・蓄積状態＞
この安全解析データ管理システムにおける詳細動作を説明するに先立ち、必要な情報の送受などの所定の動作が完了した時点において、安全解析データ管理装置１０に記憶・蓄積された情報がどのようなものであるかを説明しておく。
【００２５】
諸元データデータベース１３には、必要な動作が完了した時点においては、図２に示すような、安全解析をするために必要な諸元データが記憶・蓄積される。
つまり、諸元データデータベース１３には、図２に示すような、多数のレコードＲ１，Ｒ２，Ｒ３・・・が集まって形成されたテーブルＴ１が記憶・蓄積される。
各レコードＲは、本例では、７つのフィールド（データを格納する領域）により構成されている。
具体的には、１つのレコードＲは、安全解析をする対象であるプラントの名前を示す「プラント名」、安全解析をするために必要な特定の諸元データを示す「諸元データ項目名」、諸元データの値を示す「諸元データ値」、諸元データの値が記載されているドキュメントを示す「ドキュメント名」、諸元データの値が記載されているドキュメントの紐付け情報を示す「リンク情報」、設計をする設計部門とそのメールのアドレスを示す「設計部門名とそのメールアドレス」、安全解析をする安全解析部門とそのメールのアドレスを示す「安全解析部門名とそのメールアドレス」を個別に格納するフィールドから構成されている。
そして、各レコードＲの各フィールドには、必要なデータが記憶されている。
【００２６】
より具体的に説明すると、
例えばレコードＲ１には、
・安全解析をする対象であるプラントの名前を示す「プラント名」として、「Ｐ１」が、
・安全解析をするために必要な特定の諸元データを示す「諸元データ項目名」として、「Ａ１配管内径」が、
・諸元データの値を示す「諸元データ値」として、即ちＡ１配管の内径の値として、「１０．０」（ｍｍ）が、
・諸元データの値が記載されているドキュメント、即ちＡ１配管の内径が記載されているドキュメントを示す「ドキュメント名」として、「設計ドキュメントａ１」が、
・諸元データの値が記載されているドキュメントａ１の紐付け情報を示す「リンク情報」として、リンク情報「Ｌａ１」（例えばファイルサーバ１５の中でドキュメントａ１が記憶されているディレクトリ）が、
・設計をする設計部門とそのメールのアドレスを示す「設計部門名とそのメールアドレス」として、設計部門名「α」とそのメールアドレス「ａｄｄα」が、
・安全解析をする安全解析部門とそのメールのアドレスを示す「安全解析部門名とそのメールアドレス」として、安全解析部門名「ω」とそのメールアドレス「ａｄｄω」が、
各フィールドにそれぞれ記憶されている。
【００２７】
このように１つのレコードＲに、「諸元データ項目名」と、この「諸元データ項目名」に関する「プラント名」、「諸元データ値」、「ドキュメント名」、「リンク情報」、「設計部門名とその設計部門のメールアドレス」、「安全解析部門名とそのメールアドレス」が１つのセットになって情報が管理・記憶されているため、安全解析をする際に諸元データを効率的に整理・抽出できる効果が得られるようになっている。
【００２８】
なお、他のプラントＰ２，Ｐ３・・・の安全解析をする場合には、プラントＰ２，Ｐ３用の各テーブルＴ２，Ｔ３を諸元データデータベース１３に記憶することもできる。
【００２９】
操作ログデータベース１４には、コンピュータＰＣωと安全解析データ管理装置１０との間で送受された情報の送受履歴及び送受した情報の内容と、コンピュータＰＣα，ＰＣβ，ＰＣωと安全解析データ管理装置１０との間で送受された情報の送受履歴及び送受した情報の内容と、安全解析データ管理装置１０において情報を送受，表示，検索，選択，編集登録，依頼発行等の情報をデータ処理した処理履歴とその処理内容を記憶している。
つまり、操作ログデータベース１４は、この安全解析データ管理システムにおいて、情報が、どの時点で、どの場所からどの場所にどのように移動して、どのように処理され、どの場所に格納された等の、各情報動作の履歴情報の全てが記憶されている。
なお、情報の送受履歴のみを、操作ログデータベース１４に記憶することもできる。
このように操作ログデータベース１４に、操作ログを記憶することによりトレーサビリティを確保することができる。
【００３０】
ファイルサーバ１５には、各設計部門α，β，γが所有している、プラントＰ１用の設計ドキュメントａ１，ａ２，ａ３・・・、ｂ１，ｂ２，ｂ３・・・、ｃ１，ｃ２，ｃ３・・・が記憶・蓄積されている。
各設計ドキュメントａ１，ａ２，ａ３・・・、ｂ１，ｂ２，ｂ３・・・、ｃ１，ｃ２，ｃ３・・・は、例えば、ファイルサーバ１５のディレクトリに記憶されている。したがって、この場合には、ファイルサーバ１５のディレクトリが、各設計ドキュメントａ１，ａ２，ａ３・・・、ｂ１，ｂ２，ｂ３・・・、ｃ１，ｃ２，ｃ３・・・の紐付け情報を示すリンク情報となる。
【００３１】
なお他のプラントＰ２，Ｐ３・・・の安全解析をする場合には、プラントＰ２，Ｐ３用の各設計ドキュメントをファイルサーバ１５に記憶することもできる。
【００３２】
＜情報処理の動作状態＞
次に、この安全解析データ管理システムにおける情報処理の動作状態を説明する。
この安全解析データ管理システムでは、図２に示すテーブルＴ１を作成するための情報処理動作（第１フェーズの情報処理動作）と、図２に示すテーブルＴ１が完成した後の情報処理動作（第２フェーズの情報処理動作）とがあるので順に説明する。
なおこの例では、プラントＰ１の安全解析をすることを前提として説明をする。
【００３３】
第１フェーズの情報処理動作を説明する。
第１フェーズの情報処理動作を開始した時には、安全解析データ管理装置１０のデータベース１３，１４及びファイルサーバ１５には情報が記憶されていない。
そこで先ず最初に、安全解析データ管理装置１０のファイルサーバ１５に、各設計部門α，β，γが所有している、プラントＰ１用の設計ドキュメントａ１，ａ２，ａ３・・・、ｂ１，ｂ２，ｂ３・・・、ｃ１，ｃ２，ｃ３・・・を記憶・蓄積する。
【００３４】
一方、安全解析部門ωでは、プラントＰ１の安全解析をするために必要な諸元データを検討・抽出して、図３に示すようなテーブルｔ１を作成する。
【００３５】
図３に示すテーブルｔ１では、各レコードＲの各フィールドである「プラント名」，「諸元データ項目名」，「諸元データ値」，「ドキュメント名」，「リンク情報」，「設計部門名とそのメールアドレス」，「安全解析部門とそのメールアドレス」のうち、
「プラント名」，「諸元データ項目名」，「設計部門名とそのメールアドレス」，「安全解析部門とそのメールアドレス」の各フィールドには、安全解析部門ωにおいて必要なデータを入力しているが、
「諸元データ値」，「ドキュメント名」，「リンク情報」の各フィールドには、データが入力されておらず空欄となっている。
【００３６】
安全解析部門ωでは、コンピュータＰＣωにより安全解析データ管理装置１０にログインし、依頼発行指令Ｓ１１と共に図３に示すテーブルｔ１を安全解析データ管理装置１０に送信する。
【００３７】
安全解析データ管理装置１０は、依頼発行指令Ｓ１１とテーブルｔ１を受信すると、データ編集インタフェース１１が、テーブルｔ１を諸元データデータベース１３に記憶する。
データ編集インタフェース１１は、「諸元データ値」，「ドキュメント名」，「リンク情報」の各フィールドが空欄であると判断した場合、同時に、安全解析データ管理装置１０のメール送信部１２は、テーブルｔ１のうち、
・テーブルｔ１の設計部門名とそのメールアドレスが、設計部門名「α」，メールアドレス「ａｄｄα」となっているレコードＲ１，Ｒ２，Ｒ３・・・を、設計部門αのコンピュータＰＣαにメール送信し、
・テーブルｔ１の設計部門名とそのメールアドレスが、設計部門名「β」，メールアドレス「ａｄｄβ」となっているレコードＲ１１，Ｒ１２，Ｒ１３・・・を、設計部門βのコンピュータＰＣβにメール送信し、
・テーブルｔ１の設計部門名とそのメールアドレスが、設計部門名「γ」，メールアドレス「ａｄｄγ」となっているレコードＲ２１，Ｒ２２，Ｒ２３・・・を、設計部門γのコンピュータＰＣγにメール送信する。
【００３８】
設計部門αでは、コンピュータＰＣαがレコードＲ１，Ｒ２，Ｒ３・・・を受信すると、各レコードＲ１，Ｒ２，Ｒ３・・・のフィールドのうち、空欄となっている「諸元データ値」，「ドキュメント名」，「リンク情報」の各フィールドに、設計ドキュメントａ１，ａ２，ａ３を参照してデータ（図２参照）を入力する。
例えば、レコードＲ１について言えば、「諸元データ値」として「１０．０」を、「ドキュメント名」として「設計ドキュメントａ１」を、「リンク情報」として「Ｌａ１」を入力する。
【００３９】
そして、設計部門αは、コンピュータＰＣαにより安全解析データ管理装置１０にログインし、登録指令Ｓ２１と共に、「諸元データ値」，「ドキュメント名」，「リンク情報」の各フィールドにデータが入力されたレコードＲ１，Ｒ２，Ｒ３・・・（全てのフィールドにデータが入力されている、即ち、空欄のフィールドのないレコード）を、安全解析データ管理装置１０に送信する。
【００４０】
安全解析データ管理装置１０は、登録指令Ｓ２１と空欄のフィールドのないレコードＲ１，Ｒ２，Ｒ３・・・を受信すると、データ編集インタフェース１１が、空欄のフィールドのないレコードＲ１，Ｒ２，Ｒ３・・・を、諸元データデータベース１３に先に記憶されているテーブルｔ１のレコードＲ１，Ｒ２，Ｒ３・・・（空欄のフィールドのあるレコード）の上に上書きして記憶する。
この結果、レコードＲ１，Ｒ２，Ｒ３・・・の全てのフィールドには必要な情報が記憶される。
同時に、安全解析データ管理装置１０のメール送信部１２は、空欄のフィールドのないレコードＲ１，Ｒ２，Ｒ３・・・を、コンピュータＰＣωにメール送信する。これにより安全解析部門ωでは、コンピュータＰＣωに送信された空欄のフィールドのないレコードＲ１，Ｒ２，Ｒ３・・・の情報を確認することができる。
【００４１】
なお、設計部門αは、コンピュータＰＣαがレコードＲ１，Ｒ２，Ｒ３・・・を受信すると、設計ドキュメントａ１，ａ２，ａ３を参照して、コンピュータＰＣαにより、「諸元データ値」，「ドキュメント名」，「リンク情報」のデータを、諸元データデータベース１３に先に記憶されているテーブルｔ１のレコードＲ１，Ｒ２，Ｒ３・・・に、直接入力する（直接書き込む）こともできる。
【００４２】
設計部門βでは、コンピュータＰＣβがレコードＲ１１，Ｒ１２，Ｒ１３・・・を受信すると、各レコードＲ１１，Ｒ１２，Ｒ１３・・・のフィールドのうち、空欄となっている「諸元データ値」，「ドキュメント名」，「リンク情報」の各フィールドに、設計ドキュメントｂ１，ｂ２，ｂ３を参照してデータ（図２参照）を入力する。
例えば、レコードＲ１１について言えば、「諸元データ値」として「１１．０」を、「ドキュメント名」として「設計ドキュメントｂ２」を、「リンク情報」として「Ｌｂ２」を入力する。
【００４３】
そして、設計部門βは、コンピュータＰＣβにより安全解析データ管理装置１０にログインし、登録指令Ｓ２２と共に、「諸元データ値」，「ドキュメント名」，「リンク情報」の各フィールドにデータが入力されたレコードＲ１１，Ｒ１２，Ｒ１３・・・（全てのフィールドにデータが入力されている、即ち、空欄のフィールドのないレコード）を、安全解析データ管理装置１０に送信する。
【００４４】
安全解析データ管理装置１０は、登録指令Ｓ２２と空欄のフィールドのないレコードＲ１１，Ｒ１２，Ｒ１３・・・を受信すると、データ編集インタフェース１１が、空欄のフィールドのないレコードＲ１１，Ｒ１２，Ｒ１３・・・を、諸元データデータベース１３に先に記憶されているテーブルｔ１のレコードＲ１１，Ｒ１２，Ｒ１３・・・（空欄のフィールドのあるレコード）の上に上書きして記憶する。
この結果、レコードＲ１１，Ｒ１２，Ｒ１３・・・の全てのフィールドには必要な情報が記憶される。
同時に、安全解析データ管理装置１０のメール送信部１２は、空欄のフィールドのないレコードＲ１１，Ｒ１２，Ｒ１３・・・を、コンピュータＰＣωにメール送信する。これにより安全解析部門ωでは、コンピュータＰＣωに送信された空欄のフィールドのないレコードＲ１１，Ｒ１２，Ｒ１３・・・の情報を確認することができる。
【００４５】
なお、設計部門βは、コンピュータＰＣβがレコードＲ１１，Ｒ１２，Ｒ１３・・・を受信すると、設計ドキュメントｂ１，ｂ２，ｂ３を参照して、コンピュータＰＣβにより、「諸元データ値」，「ドキュメント名」，「リンク情報」のデータを、諸元データデータベース１３に先に記憶されているテーブルｔ１のレコードＲ１１，Ｒ１２，Ｒ１３・・・に、直接入力する（直接書き込む）こともできる。
【００４６】
設計部門γでは、コンピュータＰＣγがレコードＲ２１，Ｒ２２，Ｒ２３・・・を受信すると、各レコードＲ２１，Ｒ２２，Ｒ２３・・・のフィールドのうち、空欄となっている「諸元データ値」，「ドキュメント名」，「リンク情報」の各フィールドに、設計ドキュメントｃ１，ｃ２，ｃ３を参照してデータ（図２参照）を入力する。
例えば、レコードＲ２１について言えば、「諸元データ値」として「１２．０」を、「ドキュメント名」として「設計ドキュメントｃ３」を、「リンク情報」として「Ｌｃ３」を入力する。
【００４７】
そして、設計部門γは、コンピュータＰＣγにより安全解析データ管理装置１０にログインし、登録指令Ｓ２３と共に、「諸元データ値」，「ドキュメント名」，「リンク情報」の各フィールドにデータが入力されたレコードＲ２１，Ｒ２２，Ｒ２３・・・（全てのフィールドにデータが入力されている、即ち、空欄のフィールドのないレコード）を、安全解析データ管理装置１０に送信する。
【００４８】
安全解析データ管理装置１０は、登録指令Ｓ２３と空欄のフィールドのないレコードＲ２１，Ｒ２２，Ｒ２３・・・を受信すると、データ編集インタフェース１１が、空欄のフィールドのないレコードＲ２１，Ｒ２２，Ｒ２３・・・を、諸元データデータベース１３に先に記憶されているテーブルｔ１のレコードＲ２１，Ｒ２２，Ｒ２３・・・（空欄のフィールドのあるレコード）の上に上書きして記憶する。
この結果、レコードＲ２１，Ｒ２２，Ｒ２３・・・の全てのフィールドには必要な情報が記憶される。
同時に、安全解析データ管理装置１０のメール送信部１２は、空欄のフィールドのないレコードＲ２１，Ｒ２２，Ｒ２３・・・を、コンピュータＰＣωにメール送信する。これにより安全解析部門ωでは、コンピュータＰＣωに送信された空欄のフィールドのないレコードＲ２１，Ｒ２２，Ｒ２３・・・の情報を確認することができる。
【００４９】
なお、設計部門γは、コンピュータＰＣγがレコードＲ２１，Ｒ２２，Ｒ２３・・・を受信すると、設計ドキュメントｃ１，ｃ２，ｃ３を参照して、コンピュータＰＣγにより、「諸元データ値」，「ドキュメント名」，「リンク情報」のデータを、諸元データデータベース１３に先に記憶されているテーブルｔ１のレコードＲ２１，Ｒ２２，Ｒ２３・・・に、直接入力する（直接書き込む）こともできる。
【００５０】
上述した動作により、諸元データデータベース１３には、図２に示すような全てのフィールドに必要な情報が入力されたテーブルＴ１が形成される。
しかも、諸元データデータベース１３に記憶されたテーブルＴ１の各リンク情報は、ファイルサーバ１５に記憶されている設計ドキュメントａ１，ａ２，ａ３・・・、ｂ１，ｂ２，ｂ３・・・、ｃ１，ｃ２，ｃ３・・・のリンク情報と、紐付け（リンク付け）されている。
【００５１】
操作ログデータベース１４は、上述した第１フェーズの情報処理動作において、送受された情報の送受履歴及び送受した情報の内容と、安全解析データ管理装置１０において情報を送受，編集登録，依頼発行等のデータ処理をした処理履歴とその処理内容を記憶している。
【００５２】
次に第２フェーズの情報処理動作を説明する。
第２フェーズの情報処理動作では、諸元データデータベース１３には、完成したテーブルＴ１が記憶されている。
【００５３】
安全解析部門ωは、安全解析のために必要な諸元データを閲覧するときには、コンピュータＰＣωにより安全解析データ管理装置１０にログインして、閲覧指令Ｓ１２を安全解析データ管理装置１０に入力する。
【００５４】
そうすると、安全解析データ管理装置１０のデータ編集インタフェース１１は、諸元データデータベース１３に記憶されているテーブルＴ１の中から、閲覧指令Ｓ１２により特定された検索条件及び選択条件に合わせたレコード、例えばレコードＲ１，Ｒ２，Ｒ３を取り出す。
そして取り出したレコードＲ１，Ｒ２，Ｒ３は、メール送信部１２により、コンピュータＰＣωにメール送信され、コンピュータＰＣωに表示される。
このため、安全解析部門ωは、コンピュータＰＣωに送信され表示されたレコードＲ１，Ｒ２，Ｒ３の情報を用いて、安全解析のために使用する安全解析用数値モデルを構築することができる。
【００５５】
なお取り出したレコードＲ１，Ｒ２，Ｒ３を、メール送信部１２からコンピュータＰＣωにデータ転送することもできる。
【００５６】
また、安全解析部門ωが、コンピュータＰＣωに表示された、リンク情報、例えばリンク情報Ｌａ１をクリック（選択）すると、安全解析データ管理装置１０のデータ編集インタフェース１１は、ファイルサーバ１５に記憶されている、リンク情報Ｌａ１に紐付けされた設計ドキュメントａ１を選択し、メール送信部１２は選択された設計ドキュメントａ１をコンピュータＰＣωにメール送信する。
これにより、レコードＲ１，Ｒ２，Ｒ３に紐付けされた設計ドキュメントａ１を、コンピュータＰＣωに表示することができる。
【００５７】
このようにして、安全解析部門ωは、コンピュータＰＣωを介して、諸元データデータベース１３に記憶されたテーブルＴ１の中から必要なレコードを取りだすことができ、また取りだしたレコードに紐付けされた設計データを参照することができる。
【００５８】
また、閲覧指令Ｓ１２の検索条件及び選択条件を変更することにより、レコード単位ではなく、所定のフィールド単位毎に、テーブルＴ１の中から情報を取りだすという、データベースとしての一般的な使用動作も実現することができる。
【００５９】
操作ログデータベース１４は、上述した第２フェーズの情報処理動作において、送受された情報の送受履歴及び送受した情報の内容と、安全解析データ管理装置１０において情報を送受，検索，選択等のデータ処理をした処理履歴とその処理内容を記憶している。
【実施例２】
【００６０】
複数のプラントＰ１，Ｐ２，Ｐ３・・・の安全解析を行う場合には、複数のプラントＰ１，Ｐ２，Ｐ３・・・の設計ドキュメントをファイルサーバに記憶し、安全解析部門のコンピュータと、複数のプラントＰ１，Ｐ２，Ｐ３・・・を設計する各設計部門の各コンピュータを、安全解析データ管理装置に接続して、上述したのと同様な動作をさせる。
【００６１】
このようにした場合には、安全解析部門のコンピュータにおいて、プラントＰ１の諸元データを、他のプラントＰ２，Ｐ３の諸元データと比較したり、プラントＰ１用のテーブルＴ１と、同様なプラントＰ２，Ｐ３用のテーブルＴ２，Ｔ３とを比較したりすることができる。
【００６２】
なお、複数の安全解析部門に設置した複数のコンピュータと、複数のプラントＰ１，Ｐ２，Ｐ３・・・を設計する各設計部門の各コンピュータを、安全解析データ管理装置に接続することにより、複数のプラントＰ１，Ｐ２，Ｐ３・・・の安全解析を、複数の安全解析部門に設置した複数のコンピュータで分担して行うようにすることもできる。
【符号の説明】
【００６３】
１０  安全解析データ管理装置
１１  データ編集インタフェース
１２  メール送信部
１３  諸元データデータベース
１４  操作ログデータベース
１５  ファイルサーバ
ＰＣα，ＰＣβ，ＰＣγ，ＰＣω  コンピュータ
Ｃｉ１，Ｃｉ２  回線
α，β，γ  設計部門
ω  安全解析部門
Ｐ１  プラント
【図１】
2011257905.tif 000003
【図２】
2011257905.tif 000004
【図３】
2011257905.tif 000005
【図４】
2011257905.tif 000006